(57)【要約】      （修正有）【課題】除塵蓋および掃除用構成要素を含む光ファイバー接続器の防塵器を提供する。【解決手段】防塵器１００においては、粘着性布等の掃除用構成要素１９５が据えられており、保持環１８０の開口から露出する。上延在部に接続された被覆１７０は、枠１１０に向かってまたはそこから離れるように回すことができる。被覆は押し下げられ、それにより、係合部分１７４が、それぞれ右突縁および左突縁の上にある係合部分１４５および１４６に貫入する。このように、被覆は、掃除用構成要素を汚染から保護するべく、掃除用構成要素を覆う。【選択図】図４ａ
2019200411.tif 000002
【特許請求の範囲】
【請求項１】
光ファイバー接続器の防塵器であって、
除塵蓋であって、
光ファイバー接続器の前端を覆うように構成される枠と、
前記枠に連結された被覆であって、前記被覆は、前記枠に向かってまたはそこから離れるように回すことができる、被覆と、
を備える、除塵蓋と、
前記光ファイバー接続器を掃除するべく前記枠上に配置された掃除用構成要素と、
を備え、
前記被覆は、前記掃除用構成要素を覆うべく閉じられ、かつ、前記掃除用構成要素を露出するべく捲って開けられるように構成される、防塵器。
【請求項２】
前記枠に連結された円筒であって、前記掃除用構成要素は前記円筒の前端を覆う、円筒と、
前記掃除用構成要素を前記円筒に固定する保持環と、
をさらに備える、請求項１に記載の防塵器。
【請求項３】
前記掃除用構成要素は、掃除用払拭具または粘着性布である、請求項１に記載の防塵器。
【請求項４】
前記掃除用構成要素はゼリー状粘着物であり、前記除塵蓋は、
前記ゼリー状粘着物を収容するべく前記枠に連結された谷部
をさらに備える、請求項１に記載の防塵器。
【請求項５】
前記除塵蓋は、
前記枠に連結された第１の係合部分と、
前記被覆に連結された第２の係合部分であって、前記第２の係合部分は、前記被覆が捲って開けられるのを防ぐべく前記第１の係合部分と係合するように構成される、第２の係合部分と、
をさらに備える、請求項１に記載の防塵器。
【請求項６】
前記光ファイバー接続器は、外れ止め具、および前記外れ止め具上に形成された２つの突出部を備え、前記除塵蓋は、
前記枠に配置された固定部分であって、前記固定部分は、前記枠が前記光ファイバー接続器の前端を覆うときに、前記光ファイバー接続器が前記枠から引き出されるのを防ぐべく、前記外れ止め具上に形成された突出部に当接するように構成される、固定部分
をさらに備える、請求項１に記載の防塵器。
【請求項７】
前記光ファイバー接続器の前端上に配置された案内ピンを収容するべく、前記円筒の２つの対向する側面のそれぞれの上に凹部が形成される、請求項２に記載の防塵器。
【請求項８】
前記除塵蓋は一体的に形成される、請求項１に記載の防塵器。
【請求項９】
前記光ファイバー接続器は、ＬＣ型またはＭＰＯ型の光ファイバー接続器である、請求項１に記載の防塵器。
【請求項１０】
光ファイバー接続器の防塵器であって、
除塵蓋であって、
光ファイバー接続器の前端を覆うように構成される枠と、
前記枠に連結された２つの被覆であって、前記被覆は、前記枠に向かってまたはそこから離れるように回すことができる、被覆と、
を備える、除塵蓋と、
前記光ファイバー接続器を掃除するべく前記枠上に配置された掃除用構成要素と、
を備え、
前記被覆は、前記掃除用構成要素を覆うべく共に連結され、かつ、前記掃除用構成要素を露出するべく捲って開けられるように構成される、防塵器。
【発明の詳細な説明】
【技術分野】
【０００１】
関連出願
本出願は、２０１８年５月１４日に出願された米国仮出願整理番号６２／６７０，９８８に、かつ、２０１８年９月１０日に出願された台湾国出願番号１０７１３１７４８に対して優先権を主張しており、これにより、それらの開示は、全体として参照により本明細書中に組み込まれている。
【０００２】
１．技術分野
本開示は、光ファイバー接続器の防塵器に、より具体的には、光ファイバー接続器のための掃除機能を有する防塵器に関する。
【背景技術】
【０００３】
２．関連技術の記載
光ファイバーは、世界中で通信に革命を起こしている。光ファイバーの増大した使用と共に、様々な源から光ファイバーケーブルを接続および切断することができることがますます重要になっている。光ファイバー接続器は、接続／切断性能が光通信システムにおいて要求されるところで用いることができる。光ファイバー接続器は、例えば、導波管（例えば、光ファイバー）、または光学送受信機等の、任意の種類の光学機器を接続するべく用いることができる。例えば、光ファイバー接続器は、光ファイバーを相互接続するか、または光ファイバーを光学送受信機に接続するべく用いることができる。光ファイバー接続器は、光学機器の一時的な相互接続のために設計することができる。しかしながら、光ファイバー接続器の接続面上における、塵粒子、汚染物質または同様のものを含むごみの存在により、ある光ファイバーから別のものへ行く光が部分的に閉塞され、接続帯域幅が著しく低減されることがある。
【０００４】
光ファイバー接続器の防塵器は、光ファイバー接続器を汚染から保護するために設けられる。しかしながら、既存の光ファイバー接続器の防塵器のほとんどは、掃除機能を有していない。防塵器が取り外された後に光ファイバー接続器が掃除されることになるときには、接続器のファイバー端を掃除するべく別個の掃除用構成要素を用いることが必要である。
【発明の概要】
【０００５】
防塵器が光ファイバー接続器を掃除する機能を提供していないという課題を解決するために、本開示は、除塵蓋および掃除用構成要素を含む光ファイバー接続器の防塵器を提供する。除塵蓋は、枠および被覆を含む。枠は、光ファイバー接続器の前端を覆うように構成される。被覆は枠に連結される。掃除用構成要素は、光ファイバー接続器を掃除するべく枠上に配置される。被覆は、掃除用構成要素を覆うべく閉じられ、かつ、掃除用構成要素を露出するべく捲って開けられるように構成される。
【０００６】
本開示の防塵器は、円筒および保持環をさらに含む。円筒は枠に連結され、掃除用構成要素は円筒の前端を覆う。保持環は、掃除用構成要素を円筒に固定する。
【０００７】
本開示の防塵器においては、光ファイバー接続器上に配置された案内ピンを収容するべく、円筒の２つの対向する側面のそれぞれの上に凹部が形成される。
【０００８】
本開示の防塵器は、第１の係合部分および第２の係合部分をさらに含む。第１の係合部分は枠に連結される。第２の係合部分は、被覆に連結され、かつ、被覆が捲って開けられるのを防ぐべく第１の係合部分と係合するように構成される。
【０００９】
本開示の防塵器においては、除塵蓋は、枠上に配置された固定部分をさらに含む。枠が光ファイバー接続器の前端を覆うときに、固定部分は、光ファイバー接続器が枠から引き出されるのを防ぐべく、光ファイバー接続器の外れ止め具上に形成された突出部に当接することができる。
【００１０】
本開示の防塵器においては、掃除用構成要素は、掃除用払拭具または粘着性布である。
【００１１】
本開示の防塵器においては、掃除用構成要素はゼリー状粘着物である。除塵蓋は、ゼリー状粘着物を収容するべく枠に連結された谷部をさらに含む。
【００１２】
本開示の防塵器においては、除塵蓋は一体的に形成される。
【００１３】
本開示の防塵器においては、枠は、ＬＣ型またはＭＰＯ型の光ファイバー接続器を覆うように構成される。
【００１４】
本開示は、光ファイバー接続器の別の防塵器をさらに提供する。本開示の防塵器は、除塵蓋および掃除用構成要素を含む。除塵蓋は、枠および２つの被覆を含む。枠は、光ファイバー接続器の前端を覆うように構成される。２つの被覆は枠に連結される。掃除用構成要素は、光ファイバー接続器を掃除するべく枠上に配置される。２つの被覆は、掃除用構成要素を覆うべく共に連結され、かつ、掃除用構成要素を露出するべく捲って開けられるように構成される。
【００１５】
光ファイバー接続器を汚染から保護するべく用いられることに加え、本開示の防塵器は、ファイバー端を掃除するべく別個の掃除用構成要素を用いる必要性を回避する追加の価値を提供する。
【００１６】
本開示の先の特徴および利点は、追加の目的と同じく、添付の図面を参照して進む以下の詳細な記載からより容易に分かるだろう。
【図面の簡単な説明】
【００１７】
【図１】本開示の第１の実施形態の光ファイバー接続器の防塵器の分解図である。
【図２ａ】本開示の第１の実施形態の防塵器の除塵蓋の異なる立面斜視図である。
【図２ｂ】本開示の第１の実施形態の防塵器の除塵蓋の異なる立面斜視図である。
【図２ｃ】本開示の第１の実施形態の防塵器の除塵蓋の異なる立面斜視図である。
【図２ｄ】本開示の第１の実施形態の防塵器の除塵蓋の異なる立面斜視図である。
【図３】本開示の第１の実施形態の防塵器の保持環の立面斜視図である。
【図４ａ】被覆が開いている、本開示の第１の実施形態の防塵器の立面斜視図である。
【図４ｂ】被覆が開いている、本開示の第１の実施形態の防塵器の横断面図である。
【図５】被覆が閉じられている、本開示の第１の実施形態の防塵器の立面斜視図である。
【図６】従来のＬＣ型光ファイバー接続器の立面斜視図である。
【図７】本開示の第１の実施形態の防塵器が、図６の光ファイバー接続器の全体にわたり据えられることを例解している。
【図８】本開示の第２の実施形態の防塵器の立面斜視図である。
【図９】本開示の第３の実施形態の光ファイバー接続器の防塵器の分解図である。
【図１０ａ】本開示の第３の実施形態の防塵器の除塵蓋の異なる立面斜視図である。
【図１０ｂ】本開示の第３の実施形態の防塵器の除塵蓋の異なる立面斜視図である。
【図１０ｃ】本開示の第３の実施形態の防塵器の除塵蓋の異なる立面斜視図である。
【図１１ａ】本開示の第３の実施形態の防塵器の立面斜視図である。
【図１１ｂ】本開示の第３の実施形態の防塵器の横断面図である。
【図１２】２つの被覆が共に連結される、本開示の第３の実施形態の防塵器の立面斜視図である。
【図１３】従来のＭＰＯ雄型光ファイバー接続器の立面斜視図である。
【図１４】本開示の第３の実施形態の防塵器が、図１３の光ファイバー接続器の全体にわたり据えられることを例解している。
【図１５】本開示の第３の実施形態の防塵器が、光ファイバー適合器と接合された光ファイバー接続器を掃除するべく用いられることを例解している。
【図１６】本開示の第４の実施形態の防塵器の立面斜視図である。
【発明を実施するための形態】
【００１８】
好適な実施形態の詳細な記載
参照が図１に対して行われ、本開示の第１の実施形態による光ファイバー接続器の防塵器１００は、除塵蓋１９０、保持環１８０および掃除用構成要素１９５を含む。図２ａ乃至２ｄを参照すると、除塵蓋１９０は、射出成型工程によりプラスチックで構築され得、上壁１１１、右壁１１２、下壁１１３および左壁１１４を含む４つの接続された壁により画定された室１２０を有し、そこで、上壁１１１は下壁１１３に面し、かつ右壁１１２および左壁１１４と接続する。板１３０は、枠１１０の前端上に形成される。板１３０は、壁１１１、１１２、１１３、１１４に連結され、それにより、枠１１０の前端が実質的に閉じられる。板１３０は、右突縁１４２および左突縁１４４をそれぞれ形成するべく、右壁１１２および左壁１１４を超えて左右に延在する。係合部分１４５および１４６は、右突縁１４２および左突縁１４４の上にそれぞれ形成される。２つの係合部分１４５、１４６は、上壁１１１および下壁１１３に垂直で、かつ右壁１１２および左壁１１４に平行な方向に延在する細長い開口であり得る。室１２０と連通する開口１２２は、枠１１０の後端に設けられる。上延在部１１９は、上壁１１１の前端から水平に延在する。固定部分１６０は、枠１１０の後端に形成される。固定部分１６０は、右支持壁１６２、左支持壁１６４および遮断壁１６５を含む。右支持壁１６２は右壁１１２から上方に延在し、その頂部は上壁１１１よりも高い。左支持壁１６４は左壁１１４から上方に延在し、その頂部は上壁１１１よりも高い。右支持壁１６２は、左支持壁１６４に平行である。遮断壁１６５は、右支持壁１６２と左支持壁１６４との間に位置し、かつそれらに垂直に接続される。間隙１６６は、遮断壁１６５と上壁１１１の後端との間に形成される。さらに、遮断壁１６５の下部分内に長方形の切り欠き１６７が形成される。
【００１９】
円筒１５０は、板１３０の前表面上に形成される。円筒１５０は、実質的に円筒形であり、かつ、実質的に平坦な前端面１５２を有する。円筒１５０の前部分は、突縁１５４をもって形成される。除塵蓋１９０は、被覆１７０をさらに含む。被覆１７０は、長方形の頂壁１７１を含む。頂壁１７１の１つの側面は、上延在部１１９に接続され、３つの側壁１７２は、頂壁１７１の他の３つの側面からそれぞれ垂直に延在する。加えて、３つの側壁１７２のうち２つは係合部分１７４をそれぞれ設けられ、そこで、２つの係合部分１７４は鉤であり得る。
【００２０】
参照が図３に対して行われ、環状突出部１８２は、保持環１８０の内表面の後縁上に形成される。図４ａおよび４ｂを参照すると、本開示の防塵器１００は、掃除用払拭具または粘着性布等の掃除用構成要素１９５が、円筒１５０の前端面１５２および側方表面の上に据えられることを特徴とする。保持環１８０は、円筒１５０の全体にわたり据えられるように成形され、環状突出部１８２は、円筒１５０の突縁１５４の後端と係合し、それにより、保持環１８０が円筒１５０から外れることはない。保持環１８０は、掃除用構成要素１９５を円筒１５０に固定し、掃除用構成要素１９５は、保持環１８０の開口から露出する。
【００２１】
本開示の防塵器１００においては、上延在部１１９に接続された被覆１７０は、枠１１０に向かってまたはそこから離れるように回すことができる。図５を参照すると、被覆１７０は押し下げられ、それにより、係合部分１７４が、それぞれ右突縁１４２および左突縁１４４の上にある係合部分１４５および１４６に貫入する。このように、被覆１７０は、掃除用構成要素１９５を汚染から保護するべく、円筒１５０上の掃除用構成要素１９５を覆う。
【００２２】
図６を参照すると、従来のＬＣ光ファイバー接続器２００は、正方形の横断面を有する概して長方形の形状を有する。光ファイバー接続器２００は、上壁２１１、下壁２１３、右壁２１２および左壁２１４から成る長方形で中空の筐体２１０を含み、そこで、上壁２１１は下壁２１３に面し、かつ右壁２１２および左壁２１４と接続する。外れ止め具２２０は、上壁２１１内に成型され、かつ、光ファイバー接続器２００の中心軸に垂直な方向にツマミ２２６を上下に動かすことを可能にする一体丁番２２５を含む。外れ止め具２２０は、ツマミ２２６の対向する側面上にそれぞれ位置付けられる一対の突出部２２１をさらに含む。加えて、フェルール２４０は、筐体２１０の前端上の円形の開口２１６から突出する。一対の突出部２６０は、右壁２１２および左壁２１４の上にそれぞれ位置付けられる。
【００２３】
図７を参照すると、本開示の防塵器１００が、従来の光ファイバー接続器２００を保護するべく用いられるときに、光ファイバー接続器２００の前端は、開口１２２から枠１１０内に挿入され、外れ止め具２２０上の突出部２２１は、遮断壁１６５内の切り欠き１６７を通じて動かされる。この時に、除塵蓋１９０の枠１１０は、フェルール２４０を汚染から保護するべく、光ファイバー接続器２００の前端でフェルール２４０を覆う。光ファイバー接続器２００上の突出部２２１は、光ファイバー接続器２００が枠１１０から不注意に引き出されるのを防ぐべく、除塵蓋１９０の遮断壁１６５に当接するように用いられる。これは、枠１１０が光ファイバー接続器２００から外れるのを防ぐことができる。
【００２４】
本開示の防塵器１００が、光ファイバー接続器２００のフェルール２４０を掃除するべく用いられるときに、除塵蓋１９０は、光ファイバー接続器２００から取り外される。後に、除塵蓋１９０は１８０度回転され、被覆１７０は、掃除用構成要素１９５を露出するべく捲って開けられる。その後、掃除用構成要素１９５は、フェルール２４０上のごみおよび塵を払拭するべくフェルール２４０と接触させられる。
【００２５】
参照が図８に対して行われ、本開示の第２の実施形態による光ファイバー接続器の防塵器３００は、除塵蓋３９０および粘着性ゼリー３９５を含む。第２の実施形態における防塵器３００の除塵蓋３９０は、第１の実施形態における防塵器１００の除塵蓋１９０と実質的に同じである。以下の図では、同一の参照番号が、当該図に共通する実質的に同一の要素を指定するときに用いられることになる。第１の実施形態における除塵蓋１９０とは異なり、この実施形態における除塵蓋３９０は、除塵蓋１９０の円筒１５０に取って代わる谷部３５０を設けられる。谷部３５０は板１３０の前表面上に配置され、掃除機能を有する粘着性ゼリー３９５は谷部３５０内に充填される。
【００２６】
同様に、光ファイバー接続器２００も、光ファイバー接続器２００を汚染から保護するべく、除塵蓋３９０の枠１１０内に挿入することができる。光ファイバー接続器２００上の突出部２２１も、枠１１０が光ファイバー接続器２００から外れるのを防ぐべく、除塵蓋３９０の遮断壁１６５に当接することができる。
【００２７】
本開示の防塵器３００が、光ファイバー接続器２００のフェルール２４０を掃除するべく用いられるときに、除塵蓋３９０は、光ファイバー接続器２００から取り外される。後に、除塵蓋３９０は１８０度回転され、被覆１７０は、粘着性ゼリー３９５を露出するべく捲って開けられる。その後、フェルール２４０は、その上のごみおよび塵を除去するべく、粘着性ゼリー３９５に接触するように動かされる。
【００２８】
参照が図９に対して行われ、本開示の第３の実施形態による光ファイバー接続器の防塵器４００は、除塵蓋４９０、保持環４８０および掃除用構成要素４９５を含む。
【００２９】
図１０ａ乃至１０ｃを参照すると、除塵蓋４９０は、射出成型工程によりプラスチックで構築され得、上壁４１１、右壁４１２、下壁４１３および左壁４１４を含む４つの接続された壁により画定された室４２０を有し、そこで、上壁４１１は下壁４１３に面し、かつ右壁４１２および左壁４１４と接続する。板４３０は、枠４１０の前端上に形成される。板４３０は、壁４１１、４１２、４１３、４１４に連結され、それにより、枠４１０の前端が実質的に閉じられる。右突縁４４２は右壁４１２から右方に延在し、左突縁４４４は左壁４１４から左方に延在する。室４２０と連通する開口４２２は、枠４１０の後端に設けられる。係合部分４４５および４４６は、右壁４１２および左壁４１４の外表面上にそれぞれ形成される。１つの実施形態においては、係合部分４４５、４４６は蟻溝であり得る。
【００３０】
細長い円筒４５０は、板４３０の前表面上に形成される。円筒４５０は、実質的に長方形の横断面を有し、かつ平坦な前端面４５２を有する。半円形の凹部４５４は、円筒４５０の２つの対向する側面のそれぞれの中に形成される。２つの凹部４５４は、前端面４５２から板４３０へ縦に延在する。
【００３１】
除塵蓋４９０は、２つの被覆４７１、４７２をさらに含み、そこで、被覆４７１の１つの側面は右突縁４４２に連結され、被覆４７２の１つの側面は左突縁４４４に連結される。さらに、被覆４７１および４７２は、互いと係合するように構成される係合部分４７３および４７４をそれぞれ設けられる。１つの実施形態においては、係合部分４７３および４７４は、それぞれ鉤または尾錠である。係合部分４７５および４７６は、それぞれ被覆４７１および４７２の外表面上に形成され、それらは、それぞれ係合部分４４５および４４６と係合することができる。１つの実施形態においては、係合部分４７５、４７６は突出部であり得る。
【００３２】
図９に戻って参照すると、掃除用構成要素４９５は、一片の掃除用払拭具または粘着性布であり得る。保持環４８０は、円筒４５０の全体にわたり据えられるように成形される。
【００３３】
図１１ａおよび１１ｂを参照すると、本開示の防塵器４００は、掃除用構成要素４９５が円筒４５０の前端面４５２上に据えられるが、凹部４５４を覆わないことを特徴とする。保持環４８０は円筒４５０の全体にわたり据えられ、それにより、保持環４８０が掃除用構成要素４９５を円筒４５０に固定する。掃除用構成要素４９５は保持環４８０から露出する。
【００３４】
本開示の防塵器４００においては、枠４１０に接続された被覆４７１、４７２は、枠４１０に向かってまたはそこから離れるように回すことができる。図１２を参照すると、被覆４７１および４７２上にそれぞれ形成された係合部分４７３および４７４は互いと係合され、それにより、２つの被覆４７１、４７２が掃除用構成要素４９５を覆うべく共に連結される。このように、円筒４５０上の掃除用構成要素４９５は汚染から保護される。第１の実施形態の防塵器１００に示されているように、防塵器４００は１つのみの被覆を含むように設計され得、掃除用構成要素４９５は１つのみの被覆をもって保護され得ることに留意されたい。
【００３５】
図１３、従来のＭＰＯ雄型光ファイバー接続器５００は、フェルール５１０、および、フェルール５１０の前端面５１２上で露出される複数の光ファイバー５２０を含む。さらに、２つの案内ピン５３０は、フェルール５１０の前端面５１２から縦に延在する。
【００３６】
図１４を参照すると、本開示の防塵器４００が、従来の光ファイバー接続器５００を保護するべく用いられるときに、光ファイバー接続器５００は、開口４２２から枠４１０内に挿入される。この時に、除塵蓋４９０の枠４１０は、光ファイバー接続器５００を汚染から保護するべく、光ファイバー接続器５００のフェルール５１０を覆う。
【００３７】
本開示の防塵器４００が、光ファイバー接続器５００のフェルール５１０を掃除するべく用いられるときに、除塵蓋４９０は、光ファイバー接続器５００から取り外される。後に、除塵蓋４９０は１８０度回転され、被覆４７１、４７２は、掃除用構成要素４９５を露出するべく捲って開けられる。光ファイバー接続器５００の２つの案内ピン５３０は、防塵器４００の円筒４５０の２つの側面上に位置する凹部４５４内にそれぞれ据えられ、フェルール５１０は、フェルール５１０の前端面５１２上のごみおよび塵を除去するべく掃除用構成要素４９５と接触させられる。光ファイバー接続器を掃除するときに防塵器４００を保持するのを容易にするために、被覆４７１、４７２は、右および左の壁４１２、４１４にそれぞれ近くあるように回すことができ、それにより、係合部分４７５、４７６が係合部分４４５、４４６とそれぞれ係合される。
【００３８】
加えて、本開示の防塵器４００は、光ファイバー適合器と接合されている光ファイバー接続器５００を掃除するべく用いることもできる。図１５を参照すると、光ファイバー接続器５００がＭＰＯ型光ファイバー適合器６００と接合されている。本開示の防塵器４００は、掃除用構成要素４９５をフェルール５１０の前端面５１２と接触させ、それによりフェルール５１０を掃除するべく、他端から光ファイバー適合器６００内に挿入される。防塵器４００の円筒４５０は、円筒４５０上の掃除用構成要素４９５がフェルール５１０と接触することを可能にするのに十分に長い必要があることを理解されたい。
【００３９】
参照が図１６に対して行われ、本開示の第４の実施形態による光ファイバー接続器の防塵器７００は、除塵蓋７９０および粘着性ゼリー７９５を含む。第４の実施形態における防塵器７００の除塵蓋７９０は、第３の実施形態における防塵器４００の除塵蓋４９０と実質的に同じである。以下の図では、同一の参照番号が、当該図に共通する実質的に同一の要素を指定するときに用いられることになる。第３の実施形態における除塵蓋４９０とは異なり、この実施形態における除塵蓋７９０は、除塵蓋４９０の円筒４５０に取って代わる谷部７５０を設けられる。谷部７５０は板４３０の前表面上に配置され、掃除機能を有する粘着性ゼリー７９５は谷部７５０内に充填される。
【００４０】
本開示の防塵器７００が、光ファイバー接続器５００のフェルール５１０を掃除するべく用いられるときに、除塵蓋７９０は、光ファイバー接続器５００から取り外される。後に、除塵蓋７９０は１８０度回転され、被覆４７１、４７２は、粘着性ゼリー７９５を露出するべく捲って開けられる。その後、フェルール５１０は、その上のごみおよび塵を除去するべく、粘着性ゼリー７９５に接触するように動かされる。同様に、谷部７５０も、その中に充填された粘着性ゼリー７９５が、光ファイバー適合器６００と接合されている光ファイバー接続器５００のフェルール５１０と接触し、それによりフェルール５１０を掃除することを可能にするのに十分な高さを有するように設計することができる。
【００４１】
光ファイバー接続器を汚染から保護するべく用いられることに加え、本開示の防塵器は、光ファイバー接続器のファイバー端を掃除するべく別個の掃除用構成要素を用いる必要性を回避する追加の価値を提供する。
【００４２】
本開示の好適な実施形態が例解目的のために開示されているが、当業者は、添付の請求の範囲内に開示されているとおりの本開示の範囲および趣旨から逸脱することなく、様々な修正、付加および置換が可能であることを認識するだろう。
【図１】
2019200411.tif 000003
【図２ａ】
2019200411.tif 000004
【図２ｂ】
2019200411.tif 000005
【図２ｃ】
2019200411.tif 000006
【図２ｄ】
2019200411.tif 000007
【図３】
2019200411.tif 000008
【図４ａ】
2019200411.tif 000009
【図４ｂ】
2019200411.tif 000010
【図５】
2019200411.tif 000011
【図６】
2019200411.tif 000012
【図７】
2019200411.tif 000013
【図８】
2019200411.tif 000014
【図９】
2019200411.tif 000015
【図１０ａ】
2019200411.tif 000016
【図１０ｂ】
2019200411.tif 000017
【図１０ｃ】
2019200411.tif 000018
【図１１ａ】
2019200411.tif 000019
【図１１ｂ】
2019200411.tif 000020
【図１２】
2019200411.tif 000021
【図１３】
2019200411.tif 000022
【図１４】
2019200411.tif 000023
【図１５】
2019200411.tif 000024
【図１６】
2019200411.tif 000025